(57)【要約】【課題】十分な水密性や気密性を確保することができる召合せ部の水密構造及び該水密構造を備えた建具を提供する。【解決手段】召合せ部の水密構造１０は、主扉１６及び副扉１８をドア枠１４に対して室外側に向かって開閉可能に取り付け、主扉１６の召合せ框１６ｄと副扉１８の召合せ框１８ｄとの間に形成される上下方向の隙間の室内側部分を副扉１８の召合せ框１８ｄに設けた突出片３４によって覆う両開きドアに設けられており、ドア枠１４の下枠１４ｂの室外側面２２ａには、主扉１６の室内側面３９及び副扉１８の室内側面３３に圧接し、且つ召合せ部１９ではキャップ部材３６のカバー部４０に圧接するタイト材４７が長手方向に渡って装着され、キャップ部材３６のカバー部４０の室内側面４０ｂ及び下枠１４ｂの室外側面２２ａの一方には、キャップ部材３６の装着部３８とタイト材４７との間となる位置で他方に圧接する水密材５０が装着されている。【選択図】図３
2016089586.tif 000002
【特許請求の範囲】
【請求項１】
主扉及び副扉をドア枠に対して見込み方向一方側に向かって開閉可能に取り付け、前記主扉の召合せ框と前記副扉の召合せ框との間に形成される上下方向の隙間の見込み方向他方側部分を前記副扉の召合せ框に設けた突出片によって覆う両開きドアの召合せ部の水密構造であって、
前記突出片の下端面を覆うように該突出片に装着される装着部と、該装着部から下方に突出されて前記上下方向の隙間の見込み方向他方側部分を覆うカバー部とを有するキャップ部材を備え、
前記ドア枠の下枠の見込み方向一方側面には、前記主扉の見込み方向他方側面及び前記副扉の見込み方向他方側面に圧接し、且つ前記主扉と前記副扉の召合せ部では前記カバー部の見込み方向他方側面に圧接する第１水密材が長手方向に渡って装着され、
前記カバー部の見込み方向他方側面及び前記下枠の見込み方向一方側面の一方には、前記キャップ部材の装着部と前記第１水密材との間となる位置で他方に圧接する第２水密材が装着されていることを特徴とする召合せ部の水密構造。
【請求項２】
請求項１記載の召合せ部の水密構造において、
前記第２水密材は、少なくとも前記キャップ部材のカバー部の両側縁部に圧接可能なように前記下枠の見込み方向一方側面に装着されていることを特徴とする召合せ部の水密構造。
【請求項３】
請求項１又は２記載の召合せ部の水密構造において、
前記第２水密材は、前記第１水密材よりも柔軟な材質で形成されていることを特徴とする召合せ部の水密構造。
【請求項４】
請求項１〜３のいずれか１項に記載の召合せ部の水密構造において、
前記キャップ部材と前記突出片との当接面間にシール材を設けたことを特徴とする召合せ部の水密構造。
【請求項５】
請求項１〜４のいずれか１項に記載の召合せ部の水密構造において、
前記キャップ部材の装着部は、前記突出片の下端面の外周縁部を覆う立上り形状を有することを特徴とする召合せ部の水密構造。
【請求項６】
請求項１〜５のいずれか１項に記載の召合せ部の水密構造において、
前記キャップ部材のカバー部の見込み方向一方側面に、前記主扉の召合せ框の見込み方向他方側面に圧接する第３水密材を設けたことを特徴とする召合せ部の水密構造。
【請求項７】
請求項１〜６のいずれか１項に記載の召合せ部の水密構造を備えることを特徴とする建具。
【発明の詳細な説明】
【技術分野】
【０００１】
本発明は、ドア枠に主扉及び副扉を取り付けた両開きドアの召合せ部の水密構造及び該水密構造を備えた建具に関する。
【背景技術】
【０００２】
ドア枠に主扉及び副扉を取り付けた両開きドアの建具では、副扉の召合せ框に主扉側に向かって突出した突出片を設け、この突出片によって主扉の召合せ框と副扉の召合せ框との間に形成される上下方向の隙間の室内側部分を覆う構成が採用されている（例えば、特許文献１参照）。この突出片は室内側へと張り出しているため、その下端部を切除することでドア枠との干渉を回避し、その切除した下端部にはキャップ部材を装着することが一般的に行われている。
【先行技術文献】
【特許文献】
【０００３】
【特許文献１】特開２０００−９６９４５号公報
【発明の概要】
【発明が解決しようとする課題】
【０００４】
上記のような両開きドアでは、ドア枠の四周に長手方向に渡って装着したタイト材によって水密性や気密性を確保している。そこで主扉と副扉の召合せ部では、上記したキャップ部材にタイト材を当接させることでタイト材の連続性を確保することが行われている。
【０００５】
ところが、キャップ部材はある程度の厚みを有するため、特にその幅方向両側縁部では主扉や副扉の框の室外側面との間に段差が形成されてしまい、この段差によってタイト材が隙間を生し、水密性や気密性を十分に確保することが難しい場合がある。
【０００６】
本発明は、上記従来技術の課題を考慮してなされたものであり、十分な水密性や気密性を確保することができる召合せ部の水密構造及び該水密構造を備えた建具を提供することを目的とする。
【課題を解決するための手段】
【０００７】
本発明に係る召合せ部の水密構造は、主扉及び副扉をドア枠に対して見込み方向一方側に向かって開閉可能に取り付け、前記主扉の召合せ框と前記副扉の召合せ框との間に形成される上下方向の隙間の見込み方向他方側部分を前記副扉の召合せ框に設けた突出片によって覆う両開きドアの召合せ部の水密構造であって、前記突出片の下端面を覆うように該突出片に装着される装着部と、該装着部から下方に突出されて前記上下方向の隙間の見込み方向他方側部分を覆うカバー部とを有するキャップ部材を備え、前記ドア枠の下枠の見込み方向一方側面には、前記主扉の見込み方向他方側面及び前記副扉の見込み方向他方側面に圧接し、且つ前記主扉と前記副扉の召合せ部では前記カバー部の見込み方向他方側面に圧接する第１水密材が長手方向に渡って装着され、前記カバー部の見込み方向他方側面及び前記下枠の見込み方向一方側面の一方には、前記キャップ部材の装着部と前記第１水密材との間となる位置で他方に圧接する第２水密材が装着されていることを特徴とする。
【０００８】
また、本発明に係る建具は、上記構成の召合せ部の水密構造を備えることを特徴とする。
【０００９】
このような構成によれば、ドア枠の下枠の長手方向に渡って装着される第１水密材がキャップ部材のカバー部によって形成される段差に柔軟に追従できず、そこに隙間を生じる場合であっても、その上部に設けた第２水密材によって主扉及び副扉の召合せ部での水密性や気密性を十分に確保することができる。
【００１０】
本発明に係る召合せ部の水密構造において、前記第２水密材は、少なくとも前記キャップ部材のカバー部の両側縁部に圧接可能なように前記下枠の見込み方向一方側面に装着されていてもよい。そうすると、キャップ部材のカバー部によって形成される段差に起因する第１水密材の隙間を第２水密材によってより確実に塞ぐことができる。
【００１１】
本発明に係る召合せ部の水密構造において、前記第２水密材は、前記第１水密材よりも柔軟な材質で形成されていてもよい。そうすると、第２水密材をキャップ部材のカバー部によって形成される段差に確実に追従させ、より十分な水密性や気密性を得ることができる。
【００１２】
本発明に係る召合せ部の水密構造において、前記キャップ部材と前記突出片との当接面間にシール材を設けてもよい。そうすると、キャップ部材と突出片との当接面間での水密性や気密性を確保することができる。
【００１３】
本発明に係る召合せ部の水密構造において、前記キャップ部材の装着部は、前記突出片の下端面の外周縁部を覆う立上り形状を有してもよい。そうすると、キャップ部材と突出片との当接面間からの浸水を防止できる。
【００１４】
本発明に係る召合せ部の水密構造において、前記キャップ部材のカバー部の見込み方向一方側面に、前記主扉の召合せ框の見込み方向他方側面に圧接する第３水密材を設けてもよい。そうすると、主扉及び副扉の召合せ部での水密性や気密性をより十分に確保することができる。
【発明の効果】
【００１５】
本発明によれば、ドア枠の下枠の長手方向に渡って装着される第１水密材がキャップ部材のカバー部によって形成される段差に柔軟に追従できず、そこに隙間を生じる場合であっても、その上部に設けた第２水密材によって主扉及び副扉の召合せ部での水密性や気密性を十分に確保することができる。
【図面の簡単な説明】
【００１６】
【図１】図１は、本発明の一実施形態に係る召合せ部の水密構造を備えた建具の縦断面図である。
【図２】図２は、図１に示す建具の横断面図である。
【図３】図３は、図１に示す建具の召合せ部の下部を拡大した縦断面図である。
【図４】図４は、図３に示す召合せ部の下部を室内側から見た斜視図である。
【図５】図５は、図３に示す召合せ部の下部を室外側から見た斜視図である。
【発明を実施するための形態】
【００１７】
以下、本発明に係る召合せ部の水密構造について、この構造を備えた建具との関係で好適な実施の形態を挙げ、添付の図面を参照しながら詳細に説明する。
【００１８】
図１は、本発明の一実施形態に係る召合せ部の水密構造１０（以下、単に「水密構造１０」ともいう）を備えた建具１２の縦断面図であり、図２は、図１に示す建具１２の横断面図である。
【００１９】
図１及び図２に示すように、本実施形態に係る建具１２は、建物の躯体開口部に固定されるドア枠１４の内側に主扉１６及び副扉１８を室外側に向かって開閉可能に取り付けた両開きドアであり、水密構造１０を主扉１６と副扉１８の召合せ部１９に備える。
【００２０】
ドア枠１４は、上枠１４ａと、下枠１４ｂと、左右の縦枠１４ｃ，１４ｄとを四周枠組みすることで矩形の開口部を形成したものである。上枠１４ａ、下枠１４ｂ及び縦枠１４ｃ，１４ｄは、例えば、アルミニウム等の金属材料の押出形材である。
【００２１】
上枠１４ａは、その見込み面の室内側に寄った位置に下方に突出したヒレ部２０を有する。下枠１４ｂは、室内側で上方に突出した突出台部２２と、突出台部２２より低位置で室外側に向かって下方に傾斜した傾斜部２４とを有する。縦枠１４ｃ，１４ｄは、その見込み面の室内側に寄った位置に面内方向に突出したヒレ部２５，２６をそれぞれ有する。
【００２２】
主扉（親扉）１６は、四周の上框１６ａ、下框１６ｂ、吊元框１６ｃ及び召合せ框１６ｄと、内側に配置されるパネル２８とを框組みして構成したものである。吊元框１６ｃが一方の縦枠１４ｃにヒンジ３０で回動可能に連結されることにより、主扉１６は面外方向に開閉する。
【００２３】
副扉（子扉）１８は、四周の上框１８ａ、下框１８ｂ、吊元框１８ｃ及び召合せ框１８ｄと、内側に配置されるパネル２９とを框組みして構成したものである。吊元框１８ｃが他方の縦枠１４ｄにヒンジ３１で回動可能に連結されることにより、副扉１８は面外方向に開閉する。
【００２４】
図２に示すように、主扉１６の召合せ框１６ｄの室外側面には、副扉１８側へと面内方向に突出した室外側突出片３２が設けられている。室外側突出片３２は、副扉１８の召合せ框１８ｄとの間に形成される上下方向の隙間Ｇの室外側部分を覆う部材である。また、副扉１８の召合せ框１８ｄの室内側面（見込み方向他方側面）３３には、主扉１６側へと面内方向に突出した突出片３４が設けられている。突出片３４は、上記した隙間Ｇの室内側（見込み方向他方側）部分を覆う部材である。
【００２５】
突出片３４の室外側面には、略全長に渡ってタイト材３７が装着されている。タイト材３７は、主扉１６及び副扉１８が閉じられた場合に主扉１６の召合せ框１６ｄの室内側面（見込み方向他方側面）３９に圧接され（図２参照）、隙間Ｇでの水密性や気密性を確保するものである。タイト材３７は、例えばゴム材料を押出成形したものである。
【００２６】
図３は、図１に示す建具１２の召合せ部１９の下部を拡大した縦断面図である。また、図４は、図３に示す召合せ部１９の下部を室内側から見た斜視図であり、図５は、図３に示す召合せ部１９の下部を室外側から見た斜視図である。
【００２７】
図２に示すように、副扉１８の突出片３４は室内側に張り出している。そこで、副扉１８を閉じた場合に上枠１４ａ及び下枠１４ｂと干渉することを回避するため、図１に示すように突出片３４の上下端部は召合せ框１８ｄよりも短くなるように切り欠かれ、それぞれの切欠部にキャップ部材３５，３６が装着されている。
【００２８】
キャップ部材３５，３６は、樹脂材料によって形成され、突出片３４の切欠部でのエッジを覆うと共に、上框１６ａ，１８ａの室内側面及び下框１６ｂ，１８ｂ間の室内側面を実質的に連続させるものである。例えば下框１６ｂ，１８ｂの場合、室内側面３３，３９がキャップ部材３６によって長手方向に連続する。
【００２９】
図３〜図５に示すように、突出片３４の下端部に装着されたキャップ部材３６は、突出片３４の下端面３４ａを覆うように該突出片３４に装着される装着部３８と、装着部３８から下方に突出されて隙間Ｇの室内側（見込み方向他方側）部分を覆うカバー部４０とを有し、突出片３４と略同一の幅寸法を有して側面視略Ｌ字状に構成されている。
【００３０】
装着部３８は、下端面３４ａを覆う水平方向部分である。装着部３８は、下端面３４ａの外周縁部を覆う立上り形状３８ａを有することにより、キャップ部材３６と突出片３４との当接面間からの浸水が防止されている。カバー部４０は、装着部３８の室外側端部から下方へと延在形成され、突出片３４の切り欠かれた下端部を補完し、下框１６ｂ，１８ｂ間での室内側面３３，３９の連続性を確保するための鉛直方向部分である。カバー部４０の室外側面４０ａには、主扉１６の召合せ框１６ｄの室内側面３９に圧接され、その間の隙間を塞いで水密性や気密性を確保するための水密材（第３水密材）４２が装着されている。水密材４２は、例えばゴムシートやスポンジ状のシートであり、突出片３４に装着されたタイト材３７の下部を補完し、隙間Ｇでの水密性や気密性をより十分に確保するためのものである。
【００３１】
図５に示すように、装着部３８と下端面３４ａとの当接面間には、シール材４４が配設されている。シール材４４は、定形のスポンジ状シートを敷設したものや、不定形のシーリング材を塗布したもので構成される。シール材４４は、カバー部４０と召合せ框１８ｄの縁部との間にも配設され、キャップ部材３６と突出片３４との当接面間での水密性や気密性を確保するものである。
【００３２】
なお、詳細な説明は省略するが、突出片３４の上端部に装着されるキャップ部材３５についても、このようなキャップ部材３６と同様な構造であり、装着部３８及びカバー部４０を有する（図１参照）。
【００３３】
次に、建具１２に設けた水密構造１０について説明する。
【００３４】
上枠１４ａのヒレ部２０の室外側面には略全長に渡ってタイト材４６が装着され、下枠１４ｂの突出台部２２の室外側面には略全長に渡ってタイト材４７が装着され、縦枠１４ｃのヒレ部２５の室外側面には略全長に渡ってタイト材４８が装着され、縦枠１４ｄのヒレ部２６の室外側面には略全長に渡ってタイト材４９が装着されている。
【００３５】
タイト材４６〜４９は、主扉１６及び副扉１８が閉じられた場合にその上框１６ａ，１８ａ、下框１６ｂ，１８ｂ、吊元框１６ｃ，１８ｃ及び召合せ框１６ｄ，１８ｄの室内側面に圧接され、各框１６ａ〜１６ｄ，１８ａ〜１８ｄと各枠１４ａ〜１４ｄとの間の隙間の水密性や気密性を確保するものである。すなわち、下框１６ｂ，１８ｂの場合には室内側面３３，３９に対し、下枠１４ｂの室外側面（見込み方向一方側面）２２ａに装着したタイト材４７が圧接する。タイト材４６〜４９は、例えばゴム材料を押出成形したものである。
【００３６】
ここで、突出片３４の上下端部にはキャップ部材３５，３６が装着されているため、主扉１６及び副扉１８の召合せ部１９ではタイト材４６，４７がこれらキャップ部材３５，３６のカバー部４０の室内側面（見込み方向他方側面）４０ｂに圧接されることになる。そのため、タイト材４７がキャップ部材３６のカバー部４０と下框１６ｂ，１８ｂの室内側面３３，３９との間に形成される段差に完全に追従できず、特にキャップ部材３６の幅方向両側縁部の近傍に隙間を生じる可能性がある。
【００３７】
そこで、本実施形態に係る水密構造１０では、突出片３４の下端部に装着されたキャップ部材３６と下枠１４ｂとの間での隙間の発生をより確実に防止するため、上下方向でキャップ部材３６の装着部３８とタイト材（第１水密材）４７との間となる位置に水密材（第２水密材）５０を設けている。
【００３８】
図２〜図５に示すように、水密材５０は、キャップ部材３６のカバー部４０を幅方向に渡って覆うことができる長さ寸法を持った角柱形状であり、下枠１４ｂの突出台部２２の室外側面２２ａに装着されて室外側へと突出している。水密材５０は、タイト材４７よりも柔軟な材質で形成され、例えばスポンジ材料である。これにより、水密材５０がキャップ部材３６に圧接されると、タイト材４７よりも柔軟にカバー部４０による段差に追従し、タイト材４７とキャップ部材３６との間に形成された隙間をその上部で塞ぐことができる。水密材５０はキャップ部材３６側（突出片３４側）に取り付けてもよい。
【００３９】
なお、水密材５０は、少なくともタイト材４７の密着が難しいキャップ部材３６のカバー部４０の両側縁部を含む部分に圧接可能であればよく、カバー部４０の幅方向全体を覆う形状以外、例えばカバー部４０の両側縁部を含む部分に圧接可能な短尺形状のものを２個設けてもよい。また、このような水密材５０を設けた水密構造１０は上枠１４ａと上框１６ａ，１８ａとの間に配設してもよいが、特に水密性の観点からは建具１２の下部での密閉性が重要となるため、上記では水密構造１０を下部にのみ設けた構成を例示した。
【００４０】
以上のように、本実施形態に係る水密構造１０では、ドア枠１４の下枠１４ｂの室外側面２２ａには、主扉１６の室内側面３９及び副扉１８の室内側面３３に圧接し、且つ主扉１６と副扉１８の召合せ部１９では突出片３４の下端部に装着されるキャップ部材３６のカバー部４０の室内側面４０ｂに圧接するタイト材４７が長手方向に渡って装着され、さらにキャップ部材３６のカバー部４０の室内側面４０ｂ及び下枠１４ｂの室外側面２２ａの一方には、キャップ部材３６の装着部３８とタイト材４７との間となる位置で他方に圧接する水密材５０が装着されている。
【００４１】
従って、タイト材４７がキャップ部材３６のカバー部４０による段差に柔軟に追従できず、そこに隙間を生じる場合であっても、その上部に設けた水密材５０によって主扉１６及び副扉１８の召合せ部１９での水密性や気密性を十分に確保することができる。すなわち、ドア枠１４の下枠１４ｂに装着されるタイト材４７は、その耐久性や施工性等を考慮し、ある程度の硬度を持ったゴム材料によって形成されることが一般的である。そこで、当該水密構造１０では、キャップ部材３６によって発生する段差によって生じるタイト材４７の隙間からの浸水等を水密材５０によって防ぐ構成とした。そのため、水密材５０はタイト材４７よりも柔軟な材質で形成されていることが好ましい。
【００４２】
なお、本発明は、上記した実施形態に限定されるものではなく、本発明の主旨を逸脱しない範囲で自由に変更できることは勿論である。
【００４３】
例えば、上記実施形態では、主扉１６及び副扉１８をドア枠１４に対して室外側へと開閉可能に設けた構成を例示したが、主扉１６及び副扉１８は室内側に開閉可能な構成であってもよく、この構成の場合にはタイト材４７及び水密材５０が下枠１４ｂの室内側面に装着され、主扉１６及び副扉１８の室外側面に圧接する構造となる。
【００４４】
また、上記実施形態では、主扉１６及び副扉１８からなる両開きドアの建具１０を例示したが、本発明は、例えば副扉の幅を主扉よりも小さく構成し、通常時は副扉をドア枠に対して図示しないロック手段によってロックしておき、大きな荷物の出し入れ時やメンテナンス時に副扉を開閉させる親子ドアの建具等に適用してもよい。
【符号の説明】
【００４５】
１０  水密構造、１２  建具、１４  ドア枠、１４ａ  上枠、１４ｂ  下枠、１４ｃ，１４ｄ  縦枠、１６  主扉、１６ａ，１８ａ  上框、１６ｂ，１８ｂ  下框、１６ｃ，１８ｃ  吊元框、１６ｄ，１８ｄ  召合せ框、１８  副扉、２２ａ  室外側面、２８  パネル、３２  室外側突出片、３３，３９，４０ｂ  室内側面、３４  突出片、３４ａ  下端面、３５，３６  キャップ部材、３７，４６〜４９  タイト材、３８  装着部、３８ａ  立上り形状、４０  カバー部、４２，５０  水密材、４４  シール材
【図１】
2016089586.tif 000003
【図２】
2016089586.tif 000004
【図３】
2016089586.tif 000005
【図４】
2016089586.tif 000006
【図５】
2016089586.tif 000007